(57)【特許請求の範囲】
【請求項１】
減色法による三原色を構成するマゼンダ（Ｍ）、シアン（Ｃ）、黄（Ｙ）を各種比率で混合してなる色見本を１ページの用紙に直交縦横方向に配列・印刷したカラーチャートを複数ページ綴じ込んだ色見本カラーチャート綴込み帳において、
前記各色見本について前記三原色のうちの一色を所定の混合比に固定し、他の二色の混合比をそれぞれ変化させた色見本単位を１ページの用紙に直交縦横方向に配列したカラーチャートを形成し、前記固定混合比をページごとに順次変えて形成した複数のカラーチャートを含む基本カラーチャート・グループと、
前記基本カラーチャート・グループの各カラーチャートの各列にある色見本集合を１ページの用紙の縦方向にそって配列・印刷した列再編成カラーチャート・グループと、
前記基本カラーチャート・グループの各カラーチャートの各行にある色見本集合を１ページの用紙の縦方向にそって配列・印刷した行再編成カラーチャート・グループと、
からなる色見本カラーチャート綴込み帳。
【請求項２】
前記基本カラーチャート・グループの各カラーチャートにおいて、黄（Ｙ）を固定混合比に選択し、マゼンダ（Ｍ）およびシアン（Ｃ）を前記変化混合比に選択した、請求項１に記載の色見本カラーチャート綴込み帳。
【請求項３】
前記固定混合比を０、５、１０、２０、３０、４０、５０、６０、８０、１００％に設定し、前記変化混合比をそれぞれ０、５、１０、２０、３０、４０、５０、６０、８０、１００％に設定した、請求項２に記載の色見本カラーチャート綴込み帳。
【請求項４】
前記各カラーチャートの左上隅に直交縦横軸を記載し、三原色のマゼンダ（Ｍ）、シアン（Ｃ）、黄（Ｙ）のうち変化混合比を選択した２色の一方を横軸に他方を縦軸に記載し、残りの固定比を表す一色を原点付近に記載した、請求項１に記載の色見本カラーチャート綴込み帳。
【発明の詳細な説明】
【０００１】
【発明の属する技術分野】
本発明は、一般に色見本カラーチャート綴込み帳に関し、さらに詳しく言えば、減色法による三原色を構成するマゼンダ（Ｍ）、シアン（Ｃ）、黄（Ｙ）を各種比率で混合してなる色見本を１ページの用紙に直交縦横方向に配列・印刷したカラーチャートを数十ページ綴じ込んだ色見本カラーチャート綴込み帳に関するものである。
【０００２】
【従来の技術】
一般に、すべての色は、人間の視覚のもつ性質により、三種類の色で表せられる。加色法では、赤（Ｒ）、緑（Ｇ）、青（Ｂ）の三原色を各種の比率で混合することにより、すべての色が表現される。これは、例えば、３台の投光器等によってスクリーン上に投光したときに得られる。一方、減色法では、マゼンダ（Ｍ）、シアン（Ｃ）、黄（Ｙ）の三原色を各種の比率で混合することにより、すべての色が表現される。これは、例えば、３種類の絵の具を混合したときに得られる。
【０００３】
色見本カラーチャート綴込み帳は、後者の減色法を基礎に置いている。従来の色見本カラーチャート綴込み帳は、マゼンダ（Ｍ）、シアン（Ｃ）、黄（Ｙ）を各種比率で混合してなる色見本を１ページの用紙に直交縦横方向に配列・印刷してカラーチャートを形成している。各カラーチャートは、三原色のうちの一色（例えば（Ｙ））を所定の混合比（Ｙ１）に固定し、他の二色（例えば、Ｃ、Ｍ）の混合比をそれぞれ変化させ、同様に固定混合比（Ｙ２、Ｙ３、・・・、Ｙｎ）を順次変えて、変化混合比（Ｍ１、Ｍ２、Ｍ３、・・・、Ｍｎ：Ｃ１、Ｃ２、Ｃ３、・・・、Ｃｎ）についての各カラーチャートを作成し、それらを１冊の色見本カラーチャート綴込み帳に製本していた。
【０００４】
このような従来の色見本カラーチャート綴込み帳は、従来の製版常識に合い、職人技の色指定感覚を満足させてきた。例えば、Ｃ２０％、Ｍ３０％という色調を刷り重ね、さらに、Ｙ２０％を加えた場合、どのような色調になるかをイメージしやすく、使い慣れたユーザにとっては、実物の色見本を見なくても色調の想像が容易にできると思われてきた。したがって、ＣＭ基調型色見本カラーチャート綴込み帳は、使い慣れれば「色彩の確認ツール」という用途になると考えられてきた。
【０００５】
色彩は、単独で見る場合、複数の色彩を同時に見る場合、同じ色彩でも面積の異なるものを見る場合等、その状況によって色彩の見え方が様々に変わる。また、色相対比によっても、影響を受ける。
【０００６】
【発明が解決しようとする課題】
従来の方法による色見本カラーチャート綴込み帳では、ページごとの各色見本の比較、または色彩の推移を比較することは容易であるので、印刷者側にとっては便利である。しかし、異なるカラーチャート（すなわち、異なるページ）における色見本の比較、または同系色の推移を比較することは困難である。このことは、「色彩を探す」という観点に立ったデザイナ側にとっては不便である。
【０００７】
したがって、本発明は、印刷者側、デザイナ側の双方にとって使用が簡便である色見本カラーチャート綴込み帳を得ることを課題にしている。
【０００８】
【課題を解決するための手段】
本発明の色見本カラーチャート綴込み帳は、減色法による三原色を構成するマゼンダ（Ｍ）、シアン（Ｃ）、黄（Ｙ）を各種比率で混合してなる色見本を１ページの用紙に直交縦横方向に配列・印刷したカラーチャートを複数ページ綴じ込んでいる。綴込み帳は、基本カラーチャート・グループと、列再編成カラーチャート・グループと、行再編成カラーチャート・グループとからなる。基本カラーチャート・グループは、各色見本について三原色のうちの一色を所定の混合比に固定し、他の二色の混合比をそれぞれ変化させた色見本単位を１ページの用紙に直交縦横方向に配列し、固定混合比をページごとに順次変えて形成した複数のカラーチャートを含む。列および行再編成カラーチャート・グループは、基本カラーチャート・グループの各カラーチャートの各列および各行にある色見本集合を１ページの用紙の縦方向にそってそれぞれ配列・印刷した複数のカラーチャートを含む。
【０００９】
ここで、「行」とは用紙において横（水平）方向の並びをいい、また、「列」とは用紙において縦（垂直）方向の並びをいう。
【００１０】
基本カラーチャート・グループの各カラーチャートにおいて、黄（Ｙ）を固定混合比に選択し、マゼンダ（Ｍ）およびシアン（Ｃ）を変化混合比に選択することができる。固定混合比を０、５、１０、２０、３０、４０、５０、６０、８０、１００％に設定し、変化混合比をそれぞれ０、５、１０、２０、３０、４０、５０、６０、８０、１００％に設定することができる。
【００１１】
各カラーチャートの左上隅に直交縦横軸を記載し、三原色のマゼンダ（Ｍ）、シアン（Ｃ）、黄（Ｙ）のうち変化混合比を選択した２色の一方を横軸に他方を縦軸に記載し、残りの固定比を表す一色を原点付近に記載することが好ましい。
【００１２】
【発明の実施の形態】
図１−３および表１−４を参照して、本発明の色見本カラーチャート綴込み帳の一実施形態について説明する。
【００１３】
本発明は、減色法による三原色を構成するマゼンダ（Ｍ）、シアン（Ｃ）、黄（Ｙ）を各種比率で混合してなる色見本１を１ページの用紙２に直交縦横方向に配列・印刷したカラーチャート１０を数十ページ綴じ込んだ色見本カラーチャート綴込み帳に適用される。
【００１４】
本発明の色見本カラーチャート綴込み帳は、基本カラーチャート・グループＳ（図１、表１）と、列再編成カラーチャート・グループＡ（図２、表２）と、行再編成カラーチャート・グループＢ（図３、表３）とからなる。
【００１５】
基本カラーチャート・グループＳは、下記の表１および図１（イ）に示すように、各色見本１について三原色Ｍ、Ｃ、Ｙのうちの一色（図示例では、Ｙ）を所定の混合比（Ｙ１）に固定し、他の二色（図示例では、Ｍ、Ｃ）の混合比をそれぞれ変化させた色見本１を１ページの用紙２に直交縦横方向に配列し（図示例では、横軸にＣ、縦軸にＭ）、固定混合比（Ｙ）をページごとに（図１（イ）、（ロ）、（ハ））順次変えて（Ｙ１、Ｙ２、・・・、Ｙｎ−１、Ｙｎ）形成した複数のカラーチャート１０を含む。
【００１６】
固定混合比（Ｙ１、Ｙ２、・・・、Ｙｎ−１、Ｙｎ）は、０、５、１０、２０、３０、４０、５０、６０、８０、１００％に設定することが好ましく、また、変化混合比（Ｍ１、Ｍ２、・・・、Ｍｎ−１、Ｍｎ：Ｃ１、Ｃ２、・・・、Ｃｎ−１、Ｃｎ）をそれぞれ０、５、１０、２０、３０、４０、５０、６０、８０、１００％に設定することが好ましいが、必ずしもこれに限定されるものではない。
【００１７】
【表１】
0004847645.tif 000002
【００１８】
列再編成カラーチャート・グループ（Ａ）は、図２および下記の表２に示すように、基本カラーチャート・グループ（Ｓ）の各カラーチャート１０の各列にある色見本１の集合（ＭＹ＋Ｃ：例えば、Ｙ１Ｃ１Ｍ１、Ｙ１Ｃ１Ｍ２、・・・、Ｙ１Ｃ１Ｍｎ−１、Ｙ１Ｃ１Ｍｎ）を１ページの用紙２の縦方向にそってそれぞれ配列・印刷した複数のカラーチャート１０を含む。
【００１９】
【表２】
0004847645.tif 000003
【００２０】
行再編成カラーチャート・グループ（Ｂ）は、図３および下記の表３に示すように、基本カラーチャート・グループ（Ｓ）の各カラーチャート１０の各行にある色見本１の集合（ＣＹ＋Ｍ：例えば、Ｙ１Ｃ１Ｍ１、Ｙ１Ｃ２Ｍ１、・・・、Ｙ１Ｃｎ−１Ｍ１、Ｙ１ＣｎＭ１）を１ページの用紙２の縦方向にそってそれぞれ配列・印刷した複数のカラーチャート１０を含む。
【００２１】
【表３】
0004847645.tif 000004
【００２２】
上述した基本カラーチャート・グループ（Ｓ）、列再編成カラーチャート・グループ（Ａ）、行再編成カラーチャート・グループ（Ｂ）を総合したカラーチャート（Ｇ）の一例を下記の表４に示す。このような総合カラーチャート（Ｇ）を綴じ込むことによって、本発明の色見本カラーチャート綴込み帳を得ることができる。
【００２３】
【表４】
0004847645.tif 000005
【００２４】
【発明の効果】
本発明によれば、印刷者側、デザイナ側の双方にとって使用が簡便な色見本カラーチャート綴込み帳を得ることができる。列または行再編成カラーチャートにおいて同一系統の色彩が集合して表されるために、色彩の選別が容易になる。ＣＭ＋Ｙ型カラーチャートでは、分散してしまっていた色相が、ＭＹ＋Ｃ型またはＣＹ＋Ｍ型カラーチャートでは逆転して固まっており、プロセスカラーに秘められた新しい表情を見つけられる。さらに、本発明では、比較的単純に構成して得た少なくとも延べ３０００色の色見本を提供できる。
【図面の簡単な説明】
【図１】  本発明の色見本カラーチャート綴込み帳における基本カラーチャート・グループの一実施形態の平面図である。
【図２】  本発明の色見本カラーチャート綴込み帳における列再編成カラーチャート・グループの一実施形態の平面図である。
【図３】  本発明の色見本カラーチャート綴込み帳における行再編成カラーチャート・グループの一実施形態の平面図である。
【符号の説明】
１    色見本
２    用紙
１０    カラーチャート
Ｓ    基本カラーチャート・グループ
Ａ    列編成カラーチャート・グループ
Ｂ    行編成カラーチャート・グループ
Ｇ    総合カラーチャート
【図１】
0004847645.tif 000006
【図２】
0004847645.tif 000007
【図３】
0004847645.tif 000008